(57)【要約】【課題】  中継基板を利用することで駆動用コイルと棒状弾性支持部材との電気的な接続が容易な方式において、棒状弾性支持部材の切断作業性を向上させる。【解決手段】  両端の固定端を各々固定部材に固定させてこれらの一対の固定部材間に掛け渡した棒状弾性支持部材９の中継基板５上に位置する部分と当該中継基板５との間に設けられ、当該棒状弾性支持部材９を軸方向中央部で切断して可動端を形成するための空隙として、例えば、断面Ｖ字形状の溝１５を有するので、カッター等の切断工具の刃先を当てる位置において空隙の存在によりせん断力を利用してワイヤばね９を切断することができ、当該空隙が存在しない場合に比べて切断を容易に行うことができる。【選択図】    図４
2006048858.tif 000002
【特許請求の範囲】
【請求項１】
光スポットを形成する対物レンズとこの対物レンズを保持する対物レンズ保持部材とこの対物レンズ保持部材に固定された駆動用コイルとを有する可動部と、
フォーカシング方向に直交する同一平面上で前記対物レンズ保持部材を挟んでトラッキング方向の両側に配設されて前記対物レンズ保持部材を弾性的に支持する複数本の棒状弾性支持部材と、
前記対物レンズ保持部材を挟んでタンジェンシャル方向の両側に配設されて前記棒状弾性支持部材の固定端を固定する一対の固定部材と、
前記固定部材に設けられたヨークに取付けられて前記駆動用コイルに近接対向して前記ヨークとともに磁気回路を形成する駆動用磁石と、
前記対物レンズ保持部材に対してトラッキング方向の両側に配設されて当該対物レンズ保持部材に固定され、前記棒状弾性支持部材の可動端側が前記同一平面上で連結されるとともに当該可動端側と前記駆動用コイルの端子とを電気的に接続する中継基板と、
両端の前記固定端を各々前記固定部材に固定させてこれらの一対の前記固定部材間に掛け渡した前記棒状弾性支持部材の前記中継基板上に位置する部分と当該中継基板との間に設けられ、当該棒状弾性支持部材を前記軸方向中央部で切断して前記可動端を形成するための空隙と、
を備えることを特徴とする対物レンズ駆動装置。
【請求項２】
前記空隙は、前記中継基板の前記棒状弾性支持部材側表面に凹みを設けることにより形成されている、ことを特徴とする請求項１記載の対物レンズ駆動装置。
【請求項３】
前記凹みは、断面Ｖ字形状の溝である、ことを特徴とする請求項２記載の対物レンズ駆動装置。
【請求項４】
前記空隙は、前記中継基板のトラッキング方向外側端面側を開放部として当該中継基板に少なくとも前記棒状弾性支持部材の掛け渡し位置まで設けられた凹状の平面形状部により形成されている、ことを特徴とする請求項１記載の対物レンズ駆動装置。
【請求項５】
前記空隙は、分割構造の前記中継基板をタンジェンシャル方向に離間させて前記対物レンズ保持部材に固定させたときのこれらの中継基板間の隙間により形成されている、ことを特徴とする請求項１記載の対物レンズ駆動装置。
【請求項６】
光スポットを形成する対物レンズとこの対物レンズを保持する対物レンズ保持部材とこの対物レンズ保持部材に固定された駆動用コイルとを有する可動部と、
フォーカシング方向に直交する同一平面上で前記対物レンズ保持部材を挟んでトラッキング方向の両側に配設されて前記対物レンズ保持部材を弾性的に支持する複数本の棒状弾性支持部材と、
前記対物レンズ保持部材を挟んでタンジェンシャル方向の両側に配設されて前記棒状弾性支持部材の固定端を固定する一対の固定部材と、
前記固定部材に設けられたヨークに取付けられて前記駆動用コイルに近接対向して前記ヨークとともに磁気回路を形成する駆動用磁石と、
前記対物レンズ保持部材に対してトラッキング方向の両側に配設されて当該対物レンズ保持部材に固定され、前記棒状弾性支持部材の可動端側が前記同一平面上で連結されるとともに当該可動端側と前記駆動用コイルの端子とを電気的に接続する中継基板と、
を備え、
前記棒状弾性支持部材は、軸方向断面形状が矩形形状の薄板プレス材よりなり、当該薄板プレス材は、両端の前記固定端を各々前記固定部材に固定させてこれらの一対の前記固定部材間に掛け渡され前記中継基板上に位置する部分を軸方向に直交させて切断することにより形成された先端面取り形状の前記可動端を有する、
ことを特徴とする対物レンズ駆動装置。
【請求項７】
前記可動端の先端面取り形状は、片側面取り形状であり、面取り形状部分がフォーカシング方向の前記中継基板側に位置している、ことを特徴とする請求項６記載の対物レンズ駆動装置。
【請求項８】
前記可動端の先端面取り形状は、片側面取り形状であり、面取り形状部分がトラッキング方向の前記対物レンズ保持部材側に位置している、ことを特徴とする請求項６記載の対物レンズ駆動装置。
【請求項９】
前記可動端の先端面取り形状は、両側面取り形状であり、面取り形状部分がトラッキング方向両側に位置している、ことを特徴とする請求項６記載の対物レンズ駆動装置。
【請求項１０】
光ディスクに対する照射光を発するレーザ光を発するレーザ光源と、
対物レンズを含む請求項１ないし９の何れか一に記載の対物レンズ駆動装置と、
前記光ディスクからの反射光を受光する受光光学系と、
この受光光学系における受光信号に基づいて前記対物レンズ駆動装置に対する制御信号を出力する対物レンズ制御系と、
を備えることを特徴とする光ピックアップ装置。
【請求項１１】
光ディスクを回転駆動する回転駆動系と、
前記光ディスクの半径方向に移動自在に設けられた請求項１０記載の光ピックアップ装置と、
を備えることを特徴とする光ディスク装置。
【発明の詳細な説明】
【技術分野】
【０００１】
本発明は、対物レンズ駆動装置、当該対物レンズ駆動装置を備える光ピックアップ装置及び当該光ピックアップ装置を備える光ディスク装置に関する。
【背景技術】
【０００２】
光ディスク装置などで用いられる光ピックアップ装置中の対物レンズアクチュエータの可動部の支持方式には幾つかの方式があるが、その中で現在主に用いられているものの一つに棒状弾性支持部材によって可動部を支持する方法がある。これは、可動部に駆動用コイルが搭載されているムービングコイル方式の場合でも、棒状弾性支持部材に導電性材料を用いることにより支持系と駆動用コイルへの配線との兼用を可能とし電気配線をシンプル化することで配線が原因で発生する不要共振を防止できるなどのメリットがある。
【０００３】
近年、光ディスク装置の高性能化の要求などにより、対物レンズ駆動装置の多軸駆動のアクチュエータなどが存在する。これらの中には可動部の棒状弾性支持部材がタンジェンシャル方向の両側から出ているものもある。このときの組付方法としては、一本の棒状弾性支持部材をタンジェンシャル方向の両側（一対の固定部材間）に掛け渡して固定し、後に中央で切断するという方法がある。棒状弾性支持部材を中央で切断するのは、例えば駆動用コイルとして、フォーカス用駆動用コイル、トラッキング用駆動コイル、さらにはチルトコイル等の如く複数備える状況下で、棒状弾性支持部材によりこれらの駆動用コイルへの独立した通電を確保するためである。
【０００４】
【特許文献１】特開平６-１６２５４０号公報
【発明の開示】
【発明が解決しようとする課題】
【０００５】
しかし、この場合の棒状弾性支持部材の切断部は、周囲に余裕がなくニッパー等の工具が挿入できない。また、切断部周囲は当該棒状弾性支持部材に沿って対物レンズホルダ若しくは中継基板などの面が存在しているのでカッター等の一方向で切断を行なう工具の使用時には棒状弾性支持部材へのせん断力を利用することができない。そのため、切断時には大きな力が必要となるため、周辺部品に無理な力がかかりやすく、周辺部品を破損させてしまうことにもつながりかねないため、慎重に作業を行なわなければならないなど、切断作業は容易ではない。
【０００６】
また、特許文献１によれば、対物レンズホルダのタンジェンシャル方向の両側（一対の固定部材間）に掛け渡した４本の棒状弾性支持部材を用い、各々の棒状弾性支持部材の中央付近を対物レンズホルダに固定し、対物レンズホルダの側面中央にあるフォーカシング方向の切り欠き溝部で切断することで、棒状弾性支持部材を８本にすることが開示されている。
【０００７】
しかし、特許文献１の方式の場合、導電性材料からなる棒状弾性支持部材を、切り欠き溝部が形成された対物レンズホルダに直接固定しているものであり、可動部に搭載されている駆動用コイルへの配線は、棒状弾性支持部材と駆動用コイルとを電気的に別途接続する必要がある。
【０００８】
本発明の目的は、中継基板を利用することで駆動用コイルと棒状弾性支持部材との電気的な接続が容易な方式において、棒状弾性支持部材の切断作業性を向上させることである。
【０００９】
本発明の目的は、簡単な加工により上記目的を実現することである。
【００１０】
本発明の目的は、両側から挟んで切断するニッパ等の切断工具の挿入を可能とし、より一層、棒状弾性支持部材の切断作業性を向上させるとともに切断時の他部品への圧力負荷を軽減させることである。
【００１１】
本発明の目的は、単純形状の中継基板を用いて、上記目的を実現することである。
【課題を解決するための手段】
【００１２】
請求項１記載の発明の対物レンズ駆動装置は、光スポットを形成する対物レンズとこの対物レンズを保持する対物レンズ保持部材とこの対物レンズ保持部材に固定された駆動用コイルとを有する可動部と、フォーカシング方向に直交する同一平面上で前記対物レンズ保持部材を挟んでトラッキング方向の両側に配設されて前記対物レンズ保持部材を弾性的に支持する複数本の棒状弾性支持部材と、前記対物レンズ保持部材を挟んでタンジェンシャル方向の両側に配設されて前記棒状弾性支持部材の固定端を固定する一対の固定部材と、前記固定部材に設けられたヨークに取付けられて前記駆動用コイルに近接対向して前記ヨークとともに磁気回路を形成する駆動用磁石と、前記対物レンズ保持部材に対してトラッキング方向の両側に配設されて当該対物レンズ保持部材に固定され、前記棒状弾性支持部材の可動端側が前記同一平面上で連結されるとともに当該可動端側と前記駆動用コイルの端子とを電気的に接続する中継基板と、両端の前記固定端を各々前記固定部材に固定させてこれらの一対の前記固定部材間に掛け渡した前記棒状弾性支持部材の前記中継基板上に位置する部分と当該中継基板との間に設けられ、当該棒状弾性支持部材を前記軸方向中央部で切断して前記可動端を形成するための空隙と、を備える。
【００１３】
請求項２記載の発明は、請求項１記載の対物レンズ駆動装置において、前記空隙は、前記中継基板の前記棒状弾性支持部材側表面に凹みを設けることにより形成されている。
【００１４】
請求項３記載の発明は、請求項２記載の対物レンズ駆動装置において、前記凹みは、断面Ｖ字形状の溝である。
【００１５】
請求項４記載の発明は、請求項１記載の対物レンズ駆動装置において、前記空隙は、前記中継基板のトラッキング方向外側端面側を開放部として当該中継基板に少なくとも前記棒状弾性支持部材の掛け渡し位置まで設けられた凹状の平面形状部により形成されている。
【００１６】
請求項５記載の発明は、請求項１記載の対物レンズ駆動装置において、前記空隙は、分割構造の前記中継基板をタンジェンシャル方向に離間させて前記対物レンズ保持部材に固定させたときのこれらの中継基板間の隙間により形成されている。
【００１７】
請求項６記載の発明の対物レンズ駆動装置は、光スポットを形成する対物レンズとこの対物レンズを保持する対物レンズ保持部材とこの対物レンズ保持部材に固定された駆動用コイルとを有する可動部と、フォーカシング方向に直交する同一平面上で前記対物レンズ保持部材を挟んでトラッキング方向の両側に配設されて前記対物レンズ保持部材を弾性的に支持する複数本の棒状弾性支持部材と、前記対物レンズ保持部材を挟んでタンジェンシャル方向の両側に配設されて前記棒状弾性支持部材の固定端を固定する一対の固定部材と、前記固定部材に設けられたヨークに取付けられて前記駆動用コイルに近接対向して前記ヨークとともに磁気回路を形成する駆動用磁石と、前記対物レンズ保持部材に対してトラッキング方向の両側に配設されて当該対物レンズ保持部材に固定され、前記棒状弾性支持部材の可動端側が前記同一平面上で連結されるとともに当該可動端側と前記駆動用コイルの端子とを電気的に接続する中継基板と、を備え、前記棒状弾性支持部材は、軸方向断面形状が矩形形状の薄板プレス材よりなり、当該薄板プレス材は、両端の前記固定端を各々前記固定部材に固定させてこれらの一対の前記固定部材間に掛け渡され前記中継基板上に位置する部分を軸方向に直交させて切断することにより形成された先端面取り形状の前記可動端を有する。
【００１８】
請求項７記載の発明は、請求項６記載の対物レンズ駆動装置において、前記可動端の先端面取り形状は、片側面取り形状であり、面取り形状部分がフォーカシング方向の前記中継基板側に位置している。
【００１９】
請求項８記載の発明は、請求項６記載の対物レンズ駆動装置において、前記可動端の先端面取り形状は、片側面取り形状であり、面取り形状部分がトラッキング方向の前記対物レンズ保持部材側に位置している。
【００２０】
請求項９記載の発明は、請求項６記載の対物レンズ駆動装置において、前記可動端の先端面取り形状は、両側面取り形状であり、面取り形状部分がトラッキング方向両側に位置している。
【００２１】
請求項１０記載の発明の光ピックアップ装置は、光ディスクに対する照射光を発するレーザ光を発するレーザ光源と、対物レンズを含む請求項１ないし９の何れか一に記載の対物レンズ駆動装置と、前記光ディスクからの反射光を受光する受光光学系と、この受光光学系における受光信号に基づいて前記対物レンズ駆動装置に対する制御信号を出力する対物レンズ制御系と、を備える。
【００２２】
請求項１１記載の発明の光ディスク装置は、光ディスクを回転駆動する回転駆動系と、前記光ディスクの半径方向に移動自在に設けられた請求項１０記載の光ピックアップ装置と、を備える。
【発明の効果】
【００２３】
請求項１記載の発明によれば、棒状弾性支持部材と中継基板との間に空隙を有するので、中継基板上を通して配設された棒状弾性支持部材のカッター、ニッパー等の工具による切断を作業性よく行なうことができる。
【００２４】
請求項２記載の発明によれば、切断用の空隙が中継基板の棒状弾性支持部材側表面に凹みを設けるだけで簡単に実現することができる。
【００２５】
請求項３記載の発明によれば、凹みを断面Ｖ字形状の溝としているので、中継基板に対する凹み加工を容易に行なうことができる。
【００２６】
請求項４記載の発明によれば、切断用の空隙が中継基板のトラッキング方向外側端面側を開放部として設けられたコ字状、Ｕ字状、或いはＶ字状等の凹状の平面形状部により形成されているので、弾性支持部材切断位置周囲のうち、＋フォーカシング方向、−フォーカシング方向及びトラッキング方向（対物レンズ保持部材と反対側）の３方が開放されており、両側から挟んで切断するニッパー等の工具の挿入が可能となり、切断作業性の向上を図れるとともに切断時の他部品への圧力負荷を軽減することができる。
【００２７】
請求項５記載の発明によれば、切断用の空隙が分割構造の中継基板をタンジェンシャル方向に離間させて対物レンズ保持部材に固定させたときのこれらの中継基板間の隙間により形成されているので、複雑な形状の中継基板を用いることなく、弾性支持部材切断位置周囲のうち、＋フォーカシング方向、−フォーカシング方向及びトラッキング方向（対物レンズ保持部材と反対側）の３方が開放されており、両側から挟んで切断するニッパー等の工具の挿入が可能となり、切断作業性の向上を図れるとともに切断時の他部品への圧力負荷を軽減することができる。
【００２８】
請求項６記載の発明によれば、棒状弾性支持部材が軸方向断面形状が矩形形状の薄板プレス材よりなり、当該薄板プレス材は、両端の固定端を各々固定部材に固定させてこれらの一対の固定部材間に掛け渡され中継基板上に位置する部分を軸方向に直交させて切断することにより形成された先端面取り形状の前記可動端を有するので、プレスにより軸方向に直交させて形成された切断前のＶ字溝部分を利用することにより容易に実現でき、中継基板上を通して配設された棒状弾性支持部材のカッター等の工具による切断を作業性よく行なうことができる。
【００２９】
請求項７記載の発明によれば、中継基板側になるように配置された切断前のＶ字溝部分を利用することにより容易に実現でき、この際、切断前の状態であれば中継基板との間に空隙がありせん断力を利用して容易に切断することができ、弾性支持部材の切断作業性を向上させることができる。
【００３０】
請求項８記載の発明によれば、トラッキング方向の対物レンズ保持部材側になるように配置された切断前のＶ字溝部分を利用することにより容易に実現でき、この際、Ｖ字溝部分が対物レンズ保持部材側に位置しているのでカッターでの切断作業において工具刃先を内側から外側に引けばよいので切断加工を容易に行なうことができる。
【００３１】
請求項９記載の発明によれば、トラッキング方向両側になるように配置された切断前のＶ字溝部分を利用することにより容易に実現でき、この際、Ｖ字溝部分で挟まれた箇所をカッター等で切断すればよいので、切断加工を容易に行なうことができる。
【００３２】
請求項１０記載の発明によれば、棒状弾性支持部材の切断作業が容易かつ周辺部品に支障なく行なわれた請求項１ないし９記載の対物レンズ駆動装置を備えるので、安定した対物レンズ動作が可能な光ピックアップ装置を提供することができる。
【００３３】
請求項１１記載の発明によれば、請求項１０記載の光ピックアップ装置を備えるので、安定した光ピックアップ動作が可能な光ディスク装置を提供することができる。
【発明を実施するための最良の形態】
【００３４】
本発明を実施するための最良の形態について図面に基づいて説明する。
【００３５】
［第一の実施の形態］
本発明の第一の実施の形態を図１ないし図４に基づいて説明する。図１は、本実施の形態の対物レンズ駆動装置の構成例を示す斜視図、図２はその側面図である。本実施の形態の対物レンズ駆動装置１では、光ディスク(図示せず)に対して光スポットを形成するための対物レンズ２が外形矩形形状の対物レンズ保持部材３に保持されて設けられている。ここに、対物レンズ２の光軸方向をフォーカシング方向＝ｚ軸方向とした場合、トラッキング方向＝ｙ軸方向、タンジェンシャル方向＝ｘ軸方向は図示のような方向とする（他の実施の形態でも同様とする）。
【００３６】
対物レンズ保持部材３のタンジェンシャル方向両側の側面には、フォーカシング駆動コイル、トラッキング駆動コイル等の駆動用コイル４ａ，４ｂが取り付けられている。さらに、対物レンズ保持部材３のタンジェンシャル方向両側には、これらの駆動用コイル４ａ，４ｂへの電気的接続を確保するための中継基板５ａ，５ｂが固定されている。対物レンズ２、対物レンズ保持部材３並びに駆動用コイル４ａ，４ｂ等により、可動部６が構成されている。
【００３７】
さらに、このような可動部６の下部に設けられた上向きコ字状の位置固定のヨーク７には、可動部６に対してタンジェンシャル方向両側に配置させた固定部材８ａ，８ｂが固定されている。また、タンジェンシャル方向を長手方向として略平行に配設されて各々固定部材８ａ，８ｂと中継基板５ａ，５ｂとの間に１箇所２本ずつ掛け渡されて半田付け等により固定された合計８本の棒状弾性支持部材としてのワイヤばね９ａ〜９ｈが設けられ、可動部６はこれらのワイヤばね９ａ〜９ｈにより固定部材８ａ，８ｂに対して弾性的に支持されている。ここに、これらのワイヤばね９ａ〜９ｈは、フォーカシング方向には全て同一平面内に位置するように掛け渡され、可動部６（対物レンズ２）はフォーカシング方向、トラッキング方向、ラジアルチルト方向及びタンジェンシャルチルト方向の何れの方向にも変位可能に支持されている。また、これらのワイヤばね９ａ〜９ｈは何れも導電性を有し、前述の駆動用コイル４ａ，４ｂへの通電用にも利用されるものであり、固定部材８ａ，８ｂの外面側において各々の固定端１０が回路基板１１ａ，１１ｂに対して電気的に接続固定され、かつ、中継基板５ａ，５ｂ上においても可動端１２側が電気的に接続固定されている。１３は半田付け固定部を示している。
【００３８】
一方、ヨーク７の立設辺には、前述の駆動用コイル４ａ，４ｂに近接対向させてこれらの駆動用コイル４ａ，４ｂとともにモータを構成する駆動用磁石１４ａ，１４ｂが設けられている。
【００３９】
図３は、中継基板の構成例を示し、（ａ）は平面図、（ｂ）はその側面図である。本実施の形態の中継基板５ａ，５ｂ表面には、各々の可動端１２を形成するための空隙用の凹みが、断面Ｖ字形状の溝１５ａ，１５ｂとしてトラッキング方向に形成されている。
【００４０】
このような構成において、本実施の形態の対物レンズ駆動装置１では、その組付け完成前にあっては、ワイヤばね９に関して、ワイヤばね９ａ，９ｂ、９ｃ，９ｄ、９ｅ，９ｆ、９ｇ，９ｈは１本のワイヤばねとして構成されており（合計４本）、両端の固定端１０を各々固定部材８ａ，８ｂに固定させてこれらの一対の固定部材８ａ，８ｂ間に掛け渡した４本のワイヤばねの中間部を中継基板５ａ，５ｂ上の半田付け固定部１３で固定した後、軸方向中央部（中継基板５ａ，５ｂの中央部）で切断して可動端１２を形成することにより８本のワイヤばね９ａ〜９ｈとして構成されている。
【００４１】
図４は、ワイヤばね切断前の状態を拡大して示す部分的な側面図である。即ち、図４は、両端の固定端１０を各々固定部材８ａ，８ｂに固定させてこれらの一対の固定部材８ａ，８ｂ間に掛け渡されて中継基板５ａ，５ｂ上に位置するワイヤばね９の状態を示しており、当該ワイヤばね９の軸方向中央部と中継基板５ａ，５ｂとの間には断面Ｖ字形状の溝１５ａ，１５ｂによる空隙が形成されている。そこで、図４中に「カット」として示す矢印方向にカッター等の切断工具で切断することにより、図１及び図２に示したような２本ずつに分離切断され、可動端１２が形成される。この切断に際して、カッター等の切断工具の刃先を当てる位置においてワイヤばね９と中継基板５ａ，５ｂとの間には断面Ｖ字形状の溝１５ａ，１５ｂによる空隙が存在するため、せん断力を利用してワイヤばね９を切断することができ、当該空隙が存在しない場合に比べて切断を容易に行うことができる。また、断面Ｖ字形状の溝１５ａ，１５ｂは中継基板５ａ，５ｂにおいてトラッキング方向全幅に渡って形成されているので、カッター等の切断工具の刃先を導くガイドともなり、この点でも切断作業が容易となる。また、切断用の空隙が中継基板５ａ，５ｂのワイヤばね９側表面に凹みを設けるだけで簡単に実現することができ、特に、凹みを断面Ｖ字形状の溝１５ａ，１５ｂとしているので、中継基板５ａ，５ｂに対する凹み加工を容易に行なうことができる。
【００４２】
なお、ワイヤばね９の切断後の可動端１２の状況を考えた場合、一般的には、切断作業に伴い切断された可動端１２付近は曲がるなどして可動端１２同士は接触しない場合が多いが、切断後の可動端１２同士の再接触を完全に避けるためには切断後に可動端１２を強制的に曲げるようにしたり、或いは、断面Ｖ字形状の溝１５ａ，１５ｂをタンジェンシャル方向に離間させて２本ずつ形成し、ワイヤばね９を１本につき２箇所で切断させるようにしてもよい。
【００４３】
［第二の実施の形態］
本発明の第二の実施の形態を図５に基づいて説明する。第一の実施の形態で示した部分と同一部分は同一符号を用いて示し、説明も省略する（以降の実施の形態でも同様とする）。なお、中継基板の構成を除き、対物レンズ駆動装置全体の構成等は第一の実施の形態の場合と同様であるので、その説明は省略する。
【００４４】
図５は、本実施の形態の中継基板５ａ，５ｂ付近のワイヤばね切断前の構成例を示す概略平面図である。本実施の形態では、中継基板５ａ，５ｂのトラッキング方向外側端面側を開放部として当該中継基板５ａ，５ｂに少なくとも２本のワイヤばね９の掛け渡し位置までコの字形による凹状の平面形状部１６ａ，１６ｂが設けられ、中継基板５ａ，５ｂ上に位置するワイヤばね９の軸方向中央部部分と当該中継基板５ａ，５ｂとの間に空隙が形成されている。
【００４５】
即ち、中継基板５ａ，５ｂの形状は、図５に示すようにコの字形をしており、当該コの字形の開放部が対物レンズ２の光軸を中心としてトラッキング方向外側を向くようにして組み付けられている。コの字形による凹状の平面形状部１６ａ，１６ｂを有する中継基板５ａ，５ｂを用いることでワイヤばね９切断位置周囲のうち、＋フォーカシング方向、−フォーカシング方向、トラッキング方向（対物レンズ保持部材３と反対側）の３方が開放され、両側から挟んで切断するニッパー等の切断工具の挿入が可能となり、４本のワイヤばね９を容易に切断し８本にすることが可能となる。このように両側から挟んで切断する切断工具を用いることができるので、ワイヤばね９を容易に切断することが可能となるとともに切断時の他部品への圧力負荷を軽減することが可能となる。
【００４６】
なお、ワイヤばね９の切断後の可動端１２の状況を考えた場合、一般的には、切断作業に伴い切断された可動端１２付近は曲がるなどして可動端１２同士は接触しない場合が多いが、切断後の可動端１２同士の再接触を完全に避けるためには、例えば、凹状の平面形状部１６ａ，１６ｂ内でワイヤばね９を１本につき２箇所で切断させるようにすればよい。
【００４７】
また、本実施の形態では、凹状の平面形状部１６ａ，１６ｂの形状としてコの字形形状としたが、Ｕ字形状、Ｖ字形状等の適宜形状により形成するようにしてもよい。
【００４８】
［第三の実施の形態］
本発明の第三の実施の形態を図６に基づいて説明する。図６は、本実施の形態の中継基板５ａ，５ｂ付近のワイヤばね切断前の構成例を示す概略平面図である。本実施の形態では、中継基板５ａ，５ｂに関して、各々片側２枚ずつの中継基板５ａ１，５ａ２、５ｂ１，５ｂ２に分割して構成し、これらの中継基板５ａ１，５ａ２、５ｂ１，５ｂ２をタンジェンシャル方向に離間させて対物レンズ保持部材３に固定させることにより、中継基板５ａ１，５ａ２、５ｂ１，５ｂ２間にタンジェンシャル方向の隙間１７ａ，１７ｂを持たせ、このような隙間１７ａ，１７ｂにより、中継基板５ａ，５ｂ上に位置するワイヤばね９の軸方向中央部部分と当該中継基板５ａ，５ｂとの間に空隙を形成するようにしたものである。
【００４９】
本実施の形態の場合にワイヤばね９の切断作業を容易に行えることは第二の実施の形態の場合と同様である。この場合、複雑な形状の中継基板５ａ，５ｂを用いることがないので中継基板５ａ，５ｂ部品の加工を簡素化でき歩留まりもよい。
【００５０】
［第四の実施の形態］
本発明の第四の実施の形態を図７ないし図９に基づいて説明する。図７は、本実施の形態に用いられる中継基板５ａ，５ｂの平面形状を示す平面図である。本実施の形態では、中継基板５ａ，５ｂとしては断面Ｖ字形状の溝１５ａ，１５ｂや凹状の平面形状部１６ａ，１６ｂを有しない単純矩形状のものが用いられている。
【００５１】
図８は、本実施の形態に用いられる切断前のワイヤばね９を中継基板５ａ，５ｂ上に掛け渡しセットした状態を拡大し誇張して示す側面図である。まず、本実施の形態のワイヤばね９は、軸方向断面形状が矩形形状の薄板プレスからなり、その軸方向中央部（中継基板５ａ，５ｂ上に位置する部分）にはプレスにより軸方向に対して垂直な向きにＶ字溝１８が設けられ、そのＶ字溝１８が中継基板５ａ，５ｂ側（図８中、下側）になるようにして固定部材８ａ，８ｂ間に掛け渡されている。
【００５２】
このような構成において、本実施の形態では、図８中に「カット」として示す矢印方向にカッター等の切断工具で切断することにより、図１及び図２に示したような２本ずつに分離切断され、可動端１２が形成される。この切断に際して、カッター等の切断工具の刃先を当てる位置においてワイヤばね９と中継基板５ａ，５ｂとの間にはＶ字溝１８による空隙が存在するため、図４で説明した場合と同様に、せん断力を利用してワイヤばね９を切断することができ、当該空隙が存在しない場合に比べて切断を容易に行うことができる。
【００５３】
図９（ａ）は切断後のワイヤばね９の可動端１２の端部形状を拡大して示す側面図である。Ｖ字溝１８部分で切断するため、切断後のワイヤばね９の可動端１２は先端面取り形状を有する。この場合の先端面取り形状は、Ｖ字溝１８の半分のテーパー部分により形成される片側面取り形状であり、面取り形状部分がフォーカシング方向の中継基板５ａ，５ｂ側に位置しているものとなる。ちなみに、図９（ｂ）にＶ字溝１８を有しない場合の切断後のワイヤばね９の可動端１２の形状を示す。
【００５４】
本実施の形態によれば、中継基板５ａ，５ｂ側に一切の加工を要しないものとなる。
【００５５】
なお、ワイヤばね９の切断後の可動端１２の状況を考えた場合、一般的には、切断作業に伴い切断された可動端１２付近は曲がるなどして可動端１２同士は接触しない場合が多いが、切断後の可動端１２同士の再接触を完全に避けるためには切断後に可動端１２を強制的に曲げるようにしたり、或いは、Ｖ字溝１８をタンジェンシャル方向に離間させて２本ずつ形成し、ワイヤばね９を１本につき２箇所で切断させるようにしてもよい。
【００５６】
［第五の実施の形態］
本発明の第五の実施の形態を図１０及び図１１に基づいて説明する。本実施の形態でも、中継基板５ａ，５ｂとしては図７に示した場合と同様に断面Ｖ字形状の溝１５ａ，１５ｂや凹状の平面形状部１６ａ，１６ｂを有しない単純矩形状のものが用いられている。
【００５７】
図１０は、本実施の形態に用いられる切断前のワイヤばね９を中継基板５ａ，５ｂ上に掛け渡しセットした状態を示す平面図である。まず、本実施の形態のワイヤばね９は、軸方向断面形状が矩形形状の薄板プレスからなり、その軸方向中央部（中継基板５ａ，５ｂ上に位置する部分）にはプレスにより軸方向に対して垂直な向きにＶ字溝１９がワイヤばね両側に対向配置させて設けられ、そのＶ字溝１９がトラッキング方向に位置するように（フォーカシング方向に平行になるように）して固定部材８ａ，８ｂ間に掛け渡されている。
【００５８】
このような構成において、本実施の形態では、図１０中に「カット」として示す矢印水平方向にカッター等の切断工具の刃先を移動させて切断することにより、図１及び図２に示したような２本ずつに分離切断され、可動端１２が形成される。この切断に際して、カッター等の切断工具の刃先をワイヤばね９の側面に位置するＶ字溝１９に当てることにより切断位置のきっかけとなり、何も細工してないワイヤばね側面にカッター刃先を当てて切断する場合よりも作業が楽となり、かつ、細くなっているので、切断を容易に行うことができる。
【００５９】
図１１は、切断後のワイヤばね９の可動端１２の端部形状を拡大して示す側面図である。Ｖ字溝１９部分で切断するため、切断後のワイヤばね９の可動端１２は先端面取り形状を有する。この場合の先端面取り形状は、両側のＶ字溝１９の半分のテーパー部分により形成される両側面取り形状であり、面取り形状部分がトラッキング方向の両側に位置しているものとなる。
【００６０】
なお、ワイヤばね９の切断後の可動端１２の状況を考えた場合、一般的には、切断作業に伴い切断された可動端１２付近は曲がるなどして可動端１２同士は接触しない場合が多いが、切断後の可動端１２同士の再接触を完全に避けるためには切断後に可動端１２を強制的に曲げるようにしたり、或いは、Ｖ字溝１９をタンジェンシャル方向に離間させて２本ずつ形成し、ワイヤばね９を１本につき２箇所で切断させるようにしてもよい。
【００６１】
図１２は、本実施の形態の別の構成例を示すワイヤばね切断前の概略平面図である。図１２に示す例は、例えばワイヤばね９のトラッキング方向の幅が狭くＶ字溝１９を両側に設けることができない場合を想定し、トラッキング方向の片側のみにＶ字溝１９を設けるようにしたものである。この場合、１つのみのＶ字溝１９は、図示の如く、トラッキング方向の対物レンズ保持部材３側に位置させて設けることが望ましい。
【００６２】
つまり、カッター等の切断工具での切断は、通常、刃先を手前側に引きながら行うものであり、図１２に示すような構成の場合、ワイヤばね９の内側にはワイヤばね９よりも厚み（高さ）のある対物レンズ保持部材３が位置しているため、トラッキング方向外側に１つのみのＶ字溝が存在する場合には切断作業がしにくいが、図１２に示すように、トラッキング方向内側に１つのみのＶ字溝１９があれば、刃先を内側から外側に向けて引けばよく、切断作業は容易となる。
【００６３】
図１３は、図１２方式の場合の切断後のワイヤばね９の可動端１２の端部形状を拡大して示す側面図である。Ｖ字溝１９部分で切断するため、切断後のワイヤばね９の可動端１２は先端面取り形状を有する。この場合の先端面取り形状は、Ｖ字溝１９の半分のテーパー部分により形成される片側面取り形状であり、面取り形状部分がトラッキング方向の対物レンズ保持部材３に位置しているものとなる。
【００６４】
［第六の実施の形態］
本発明の第六の実施の形態を図１４に基づいて説明する。本実施の形態は、前述した第一ないし第五の実施の形態のように構成された対物レンズ駆動装置１を備えた光ピックアップ装置２１への適用例を示す。
【００６５】
図１４は、本実施の形態の光ピックアップ装置を示す概略構成図である。光ピックアップ装置２１に搭載されている半導体レーザ等の光源２３から出射した拡散光は、コリメートレンズ２４によって略平行光になる。その後、ビームスプリッタ２５を通り、立上げミラー２６により折り曲げられる。立上げミラー２６によって折り曲げられた平行光は光ピックアップ装置２１に搭載された対物レンズ駆動装置１の対物レンズ２に入射し光ディスク２８上にスポットを形成する。
【００６６】
スポットの反射光はビームスプリッタ２５によって来た方向と向きをかえて、集光レンズ２９とシリンドリカルレンズ３０を通った後、４分割受光素子３１に入射する。光ディスク２８上のスポットの反射光が４分割受光素子３１に入射するように配置しておく。４分割受光素子３１で得られた信号を元にして対物レンズ駆動装置１のフォーカシング駆動コイル、トラッキング駆動コイル等を駆動することによって光ディスク２８に対して対物レンズ２を追従させることで光ディスク２８の情報を得ることができる。集光レンズ２９、シリンドリカルレンズ３０及び４分割受光素子３１により受光光学系３２が構成されている。さらに、４分割受光素子３１の受光信号に基づいて対物レンズ駆動装置１に対する駆動信号を出力する対物レンズ制御系（図示せず）も設けられている。
【００６７】
ここで、光ピックアップ装置２１に搭載されている対物レンズ駆動装置１は前述した第一ないし第五の実施の形態の如く構成された対物レンズ駆動装置であり、前述のように対物レンズ駆動装置１によって対物レンズ２を光ディスク２８に対して追従させて光ディスク２８の情報を読み取る。これにより、小型で良好な信号が得られる光ピックアップ装置を提供することができる。
【００６８】
［第七の実施の形態］
本発明の第七の実施の形態を図１５及び図１６に基づいて説明する。本実施の形態は、前述したような光ピックアップ装置２１を搭載した光ディスクドライブ（光ディスク装置）への適用例を示す。
【００６９】
図１５は、本実施の形態の光ディスクドライブを示す概略平面図、図１６は、その縦断側面図である。まず、光ディスクドライブの筐体４１に防振ゴム４２を介してピックアップモジュールベース４３が設置されている。ピックアップモジュールベース４３には光ディスク２８を回転させる回転駆動系としてのスピンドルモータ４４が固定されている。また、ピックアップモジュールベース４３に取付けられたシークレール４５には光ピックアップ装置２１が搭載されている。光ピックアップ装置２１はシークレール４５上を光ディスク２８の半径方向に移動可能とされている。
【００７０】
ここで、当該光ディスクドライブに搭載されている光ピックアップ装置２１は前述した第六の実施の形態で説明した光ピックアップ装置であり、これにより小型でデータの読み書きを良好に行なうことが可能な光ディスクドライブ装置を提供することができる。
【図面の簡単な説明】
【００７１】
【図１】本発明の第一の実施の形態の対物レンズ駆動装置の構成例を示す斜視図である。
【図２】その側面図である。
【図３】中継基板の構成例を示し、（ａ）は平面図、（ｂ）はその側面図である。
【図４】ワイヤばね切断前の状態を拡大して示す部分的な側面図である。
【図５】本発明の第二の実施の形態の中継基板付近のワイヤばね切断前の構成例を示す概略平面図である。
【図６】本発明の第三の実施の形態の中継基板付近のワイヤばね切断前の構成例を示す概略平面図である。
【図７】本発明の第四の実施の形態に用いられる中継基板の平面形状を示す平面図である。
【図８】本実施の形態に用いられる切断前のワイヤばねを中継基板上に掛け渡しセットした状態を拡大し誇張して示す側面図である。
【図９】（ａ）は切断後のワイヤばねの可動端の端部形状を拡大して示す側面図、（ｂ）はＶ字溝を有しない場合の切断後のワイヤばねの可動端の形状を拡大して示す側面図である。
【図１０】本発明の第五の実施の形態に用いられる切断前のワイヤばねを中継基板上に掛け渡しセットした状態を示す平面図である。
【図１１】切断後のワイヤばねの可動端の端部形状を拡大して示す側面図である。
【図１２】本実施の形態の別の構成例を示すワイヤばね切断前の概略平面図である。
【図１３】図１２方式の場合の切断後のワイヤばねの可動端の端部形状を拡大して示す側面図である。
【図１４】本発明の第六の実施の形態の光ピックアップ装置を示す概略構成図である。
【図１５】本発明の第七の実施の形態の光ディスクドライブを示す概略平面図である。
【図１６】その縦断側面図である。
【符号の説明】
【００７２】
１      対物レンズ駆動装置
２      対物レンズ
３      対物レンズ保持部材
４ａ，４ｂ      駆動用コイル
５ａ，５ｂ      中継基板
６      可動部
７      ヨーク
８ａ，８ｂ      固定部材
９，９ａ〜９ｈ      棒状弾性支持部材
１０      固定端
１２      可動端
１４ａ，１４ｂ      駆動用磁石
１５ａ，１５ｂ      断面Ｖ字状の溝、凹み、空隙
１６ａ，１６ｂ      凹状の平面形状部、空隙
１７ａ，１７ｂ      隙間、空隙
２１      光ピックアップ装置
２８      光ディスク
３２      受光光学系
４４      回転駆動系
【図１】
2006048858.tif 000003
【図２】
2006048858.tif 000004
【図３】
2006048858.tif 000005
【図４】
2006048858.tif 000006
【図５】
2006048858.tif 000007
【図６】
2006048858.tif 000008
【図７】
2006048858.tif 000009
【図８】
2006048858.tif 000010
【図９】
2006048858.tif 000011
【図１０】
2006048858.tif 000012
【図１１】
2006048858.tif 000013
【図１２】
2006048858.tif 000014
【図１３】
2006048858.tif 000015
【図１４】
2006048858.tif 000016
【図１５】
2006048858.tif 000017
【図１６】
2006048858.tif 000018